(57)【要約】    【課題】パンツ内の尿の処理を容易かつ衛生的に行え、また、失禁してもパンツの着用箇所の大部分を洗うことができるお湯の汚染を防止するために着用する経済性のあるパンツを提供すること。    【解決手段】入浴の際の失禁による浴槽内のお湯の汚染を防止するために着用する防水性素材で形成されるパンツであって、胴周りと両腿周りは各々漏れ防止リング１０、１１が形成され、股間は下方向に膨出する尿収容部３０が形成されてなる失禁用入浴パンツ５０。尿収容部３０に尿排出口３１を水密に形成しても良い。腿周りの漏れ防止リング１０が足の付け根近傍に形成され、尿収容部３０の膨出する基端が前記漏れ防止リング１０の上端縁とほぼ同じ高さ位置に設定しても良い。  【選択図】図１
2005245570.tif 000002
【特許請求の範囲】
【請求項１】
入浴の際の失禁による浴槽内のお湯の汚染を防止するために着用する防水性素材で形成されるパンツであって、胴周りと両腿周りは各々漏れ防止リングが形成され、股間は下方向に膨出する尿収容部が形成されてなることを特徴とする失禁用入浴パンツ。
【請求項２】
尿収容部が着脱自在であることを特徴とする請求項１に記載の失禁用入浴パンツ。
【請求項３】
尿収容部は尿排出口が水密に形成されてなることを特徴とする請求項１又は請求項２に記載の失禁用入浴パンツ。
【請求項４】
腿周りの漏れ防止リングが足の付け根近傍に形成され、尿収容部の膨出する基端が前記漏れ防止リングの上端縁とほぼ同じ高さ位置に設定されてなることを特徴とする請求項１〜請求項３のいずれかに記載の失禁用入浴パンツ。
【発明の詳細な説明】
【技術分野】
【０００１】
本発明は、浴槽内での失禁によるお湯の汚染を防止するために入浴の際に着用するパンツに関する。
【背景技術】
【０００２】
入浴で体が温まると膀胱の括約筋が弛緩し、失禁用パンツを日常的に着用していない者でも、特に高齢者は浴槽内で失禁してしまうことがある。浴槽内での失禁は、往々にして他の入浴者に気付かれないことがあり、非常に不衛生である。また、失禁のあったことが分かれば、浴槽のお湯を入れ替えなければならず、他の入浴者に迷惑であるばかりか、経費面でも問題となる。したがって、浴槽内での失禁は、高齢者が増加する今日、家庭内の浴場のほか、老人施設、介護施設、温泉宿、公衆浴場などの共同浴場では特に大きな問題となっている。なお、失禁用パンツとは、浴場以外で用いる従来汎用の通常オムツを内蔵させて用いるパンツで、浴場で用いる本願の失禁用入浴パンツとは峻別される。以下においても同様である。
【０００３】
従来、入浴の際に着用するパンツについていくつかの提案がある。例えば、パンツの脚を通す両脚部に位置して、左右の脚部間にチャック、スナップ等の着脱部を形成した入浴用パンツ（特許文献１参照）、本体全てを生ゴムで構成した浴用パンツ（特許文献２参照）、パンティに、防水性の材質で作られた、生理あてを付加し、パンティの足を通す箇所をゴム等で縫い付け、パンティに固定した入浴用の下着（特許文献３参照）、身体に直接着用する防水性の着用具であって、肌触りの良好な収縮性生地を内層とし、防水機能を有する伸縮性生地を外層とする基布を素材とし、これを加工することによって身体に着用するために必要な開口部を有する本体を形成し、当該本体の開口部における身体との接触部に防水シール部を設けることによって、本体内部から外部への成分の漏出を防止するとともに、外部から本体内部への水分の浸入を防止するようにした完全防水着用具（特許文献４参照）等が提案されている。
【特許文献１】実開昭５５−１５１８０５号公報
【特許文献２】実昭５７−１０７５３２号公報
【特許文献３】実用新案登録第３０１７７９６号明細書
【特許文献４】特開２００３−２７３１１号公報
【発明の開示】
【発明が解決しようとする課題】
【０００４】
しかし、従来の入浴の際に着用するパンツは、パンツ内の尿の漏れを防ぐことはできても、パンツを脱ぐとパンツ内で分散して溜まった尿がこぼれ落ちてしまうので、尿の処理を容易かつ衛生的に行えないという問題があった。また、パンツをたくし下ろすとパンツ内で分散する尿がこぼれ落ちるおそれがあるため、着用箇所を洗うとことができなかった。一方、オムツなどのパット類を取り付ける構成のものは（特許文献３参照）、パンツを脱いでも尿がこぼれ落ちることはないものの、失禁用パンツを日常的に着用していない者にとっては、オムツなどのパット類を使用することに抵抗感があり、また、入浴の都度パット類を使用することは費用面でも問題となる。
【０００５】
本発明は、上記事情に鑑みなされたものであり、パンツ内の尿の処理を容易かつ衛生的に行え、また、失禁してもパンツの着用箇所の大部分を洗うことができるお湯の汚染を防止するために着用する経済性のあるパンツを提供することを課題とする。
【課題を解決するための手段】
【０００６】
本発明者は、上記の課題を解決するために検討を重ね、本発明を完成するに至った。
すなわち、本発明は、入浴の際の失禁による浴槽内のお湯の汚染を防止するために着用する防水性素材で形成されるパンツであって、胴周りと両腿周りは各々漏れ防止リングが形成され、股間は下方向に膨出する尿収容部が形成されてなることを特徴とする失禁用入浴パンツを要旨とする。
【０００７】
上記の構成の発明は、股間の下方向に尿収容部が形成されるので、失禁による尿を収容でき、失禁用入浴パンツを脱いでも尿がこぼれ落ちることがない。
【０００８】
上記の発明において、尿収容部を着脱自在としても良い。これにより、尿収容部を取り外して尿収容部に収容された尿をトイレ等に排出できる。また、尿収容部を取り外すことにより失禁用入浴パンツを履いたまま汚れた股間の清拭などができる。
【０００９】
上記の各発明において、尿収容部に尿排出口を水密に形成しても良い。これにより、容易に尿収容部に収容された尿をトイレ等に排出できる。
【００１０】
上記の各発明において、腿周りの漏れ防止リングを足の付け根近傍に形成し、尿収容部の膨出する基端を漏れ防止リングの上端縁とほぼ同じ高さ位置に設定しても良い。これにより、パンツ内の尿を確実に尿収容部に収容できる。
【発明の効果】
【００１１】
本発明の失禁用入浴パンツによれば、入浴の際の浴槽内での失禁によるお湯の汚染を防止でき、また、失禁によるパンツ内の尿を容易かつ衛生的に処理できる。また、パンツの着用箇所の大部分を洗うことができるので、使い勝手に優れる。更に、入浴の都度、オムツなどのパット類を使用する必要がないので、経済性にも優れる。
【発明を実施するための最良の形態】
【００１２】
次いで、本発明を図面を参照しながら、第１の実施の形態と第２の実施の形態により詳細に説明する。図１は、第１の実施の形態に係る失禁用入浴パンツ５０の正面図であり、図２はその底面図であり、図３は尿収容部３０における尿排出口３１を示す部分拡大断面図である。また、図４は第２の実施の形態に係る失禁用入浴用パンツ６０の正面図、図５はその底面図、図６は尿収容部４０の側面図である。
【００１３】
〔第１の実施の形態〕    
本実施の形態の失禁用入浴パンツ５０は、防水性素材の生地により図１に示すトランクス型に形成されている。防水性素材のパンツ生地は、防水性があれば特に限定されるものではなく、シート状の合成樹脂が好適である。合成樹脂は、ナイロン、ポリエステル、ポリエチレンなどを例示できる。
【００１４】
失禁用入浴パンツ５０の腿周りは、該腿周りの径より縮径の漏れ防止リング１０が形成されている。漏れ防止リング１０は、失禁用入浴パンツ５０の腿周りの内側にリング状の織ゴム１５が縫着され構成されている。また、漏れ防止リング１０が形成されるパンツ生地には、縦方向にギャザー２０が形成され、織ゴム１５は該ギャザー２０と直交する横方向に縫着されている。パンツ生地にギャザー２０が形成されることにより、織ゴム１５の伸縮に伴いパンツ生地の伸縮も可能となっている。
【００１５】
また、失禁用入浴パンツ５０の胴周りは、該胴周りの径より縮径の漏れ防止リング１１が形成されている。漏れ防止リング１１は、上記の腿周りの漏れ防止リング１０と同様に胴回りの内側にリング状の織ゴム１６が縫着されている。また、織ゴム１６が縫着されるパンツ生地には縦方向にギャザー２１が形成されている。
【００１６】
股間には、下方に膨出する尿収容部３０が失禁用入浴パンツ５０の本体と一体に形成されている。尿収容部３０の膨出する基端は、腿周りの漏れ防止リング１０の上端縁とほぼ同じ高さに設定されている。また、尿収容部３０の底部には合成樹脂により尿排出口３１が形成されている。尿排出口３１は、図３に示すように、鍔３２を有する中空の円筒部３３と、断面Ｔ字状の栓３４により構成され、鍔３２は尿収容部３０の底部に溶着されている。円筒部３３は、尿収容部３０に形成された貫通孔３７に連通している。円筒部３３に栓３４を嵌入すれば、水密になり尿収容部３０に収容された尿は漏れることがない。
【００１７】
次いで 、上記のように構成される失禁用入浴パンツ５０の使用方法について説明する。失禁用パンツを日常的に着用している者、失禁用パンツを日常的に着用していないが入浴時に失禁のおそれのある者がこの失禁用入浴パンツ５０を着用する。失禁用入浴パンツ５０は、脱衣した後、下着のパンツと同様に着用し、着用したままで入浴する。失禁用パンツを日常的に着用している者は、オムツを取り外してから、直接この失禁用入浴パンツ５０を着用する。失禁用入浴パンツ５０は、防水性素材で形成され、また、漏れ防止バンド１０、１１が両腿周りと胴周りに各々形成されているため、水密となり、失禁用入浴パンツ５０内の尿は外に漏れ出ることがない。尿収容部３０の膨出する基端が腿周りの漏れ防止リング１０の上端縁とほぼ同じ高さに設定されているため、失禁による尿は失禁用入浴パンツ５０内に分散することなく股間の下方に位置する尿収容部３０に収容される。したがって、体を洗う際、失禁用入浴パンツ５０をたくし下ろして失禁用入浴パンツ５０に覆われている箇所の大部分を洗うこともでき、従来の入浴時に着用するパンツのように着用箇所を洗えないという制約はない。体を洗った後は、再び失禁用入浴パンツ５０をたくし上げて浴槽に入れば、浴槽内での失禁によるお湯の汚染を防止できる。浴槽内で失禁がなかった場合は、浴場から出た後、失禁用入浴パンツ５０を脱いで下着に履き替える。また、失禁があった場合は、尿排出口３１の栓３４を外して、溜まった尿をトイレの便器や移動便器などに排出できる。失禁用入浴パンツ５０は、洗濯をして繰り返し使用することができる。なお、失禁用入浴パンツ５０は、失禁により大便があった場合も外に漏らさないことはいうまでもない。
【００１８】
〔第２の実施の形態〕
本実施の形態の失禁用入浴パンツ６０は、尿収容部４０を失禁用入浴パンツ６０の本体に着脱自在に構成したブリーフ型に形成されるものである。パンツ生地、漏れ防止リングの構成は、第１の実施の形態と同様なので、詳細な説明は割愛し、異なる点を説明する。なお、図４及び図５において、第１の実施の形態と同一の要素については同一の符号を用いる。
【００１９】
尿収容部４０の基端周りに鍔４３が形成され、該鍔４３には雄の面ファスナー４１が縫着されている。また、雄の面ファスナー４１に対向する失禁用入浴パンツ６０本体の股間に形成される打ち抜き周りに雌の面ファスナー４２が縫着されている。これにより、尿収容部４０は失禁用入浴パンツ６０本体に着脱自在となっている。失禁があった場合、トイレで尿収容部４０を取り外すことにより、溜まった尿を便器に排出できる。なお、この失禁用入浴パンツ６０の尿収容部４０に第１の実施の形態と同様に尿排出口を形成しても良い。
【００２０】
本発明は、その技術的範囲に属する限り、種々形態を変更して具体化できるので、以下に例示する。
（１）漏れ防止リングは、リング状をなし、失禁用入浴パンツを水密に構成できれば上記の実施の形態に限定されず、例えば帯状ゴムでも良い。
（２）尿排出口は、水密に構成できれば上記実施の形態に限定されず、例えば、尿収容部に縫着される貫通孔を有する雌の面ファスナーと、雄の面ファスナーの一端が尿収容部に縫着され開閉自在な蓋体とからなり、雌の面ファスナーの貫通孔は尿収容部に形成される貫通孔に連通する尿排出口とする構成にしても良い。
（３）尿収容部が着脱自在でなく、かつ尿収容部に尿排出口が形成されない構成の場合、尿収容部が傾斜しないようにパンツを脱いで、トイレなどで尿収容部に収容された尿を処理する。この構成の失禁用入浴パンツは、費用対効果の点でディスポーザブルとするのに好適である。
【図面の簡単な説明】
【００２１】
【図１】第１の実施の形態に係る失禁用入浴パンツの正面図である。
【図２】第１の実施の形態に係る失禁用入浴パンツの底面図である。
【図３】第１の実施の形態に係る失禁用入浴パンツの尿排出口を示す部分拡大断面図である。
【図４】第２の実施の形態に係る失禁用入浴パンツの正面図である。
【図５】第２の実施の形態に係る失禁用入浴パンツの底面図である。
【図６】第２の実施の形態に係る失禁用入浴パンツの尿収容部の側面図である。
【符号の説明】
【００２２】
１０、１１      漏れ防止リング
３０、４０      尿収容部
３１            尿排出口
４１            雄の面ファスナー
４２            雌の面ファスナー
５０、６０      失禁用入浴パンツ
【図１】
2005245570.tif 000003
【図２】
2005245570.tif 000004
【図３】
2005245570.tif 000005
【図４】
2005245570.tif 000006
【図５】
2005245570.tif 000007
【図６】
2005245570.tif 000008